(57)【要約】【課題】  掛けふとん及び敷きふとんの温湿度、除菌又は抗菌、及びダニ退治を行うエアーコントロールふとんを提供すること。【解決手段】  送風装置１から掛けふとん２及び敷きふとん３に温風を送風できるようにするとともに、中綿に粒状セラミックの表面部に除菌又は抗菌剤を含む層を形成した粒状物４１を混入させる。また、この構成に代わり、上記粒状物４１を詰めた除菌抗菌部４５を送風装置１の吹出口１７、１８の手前側に配置する。なお、除菌又は抗菌剤を含む層として、銀を焼き付けた層を形成してもよい。【選択図】        図１
2005168620.tif 000002
【特許請求の範囲】
【請求項１】
室内空気を加熱して温風として供給することが可能な送風装置と、送風装置からの供給空気を通風可能に形成した掛けふとん及び敷きふとんとを備え、これらふとんの中綿に粒状セラミックの表面部に除菌又は抗菌剤を含む層を形成した粒状物を混入させてなることを特徴とするエアーコントロールふとん。
【請求項２】
掛けふとん及び敷きふとんは、中綿が複数のブロックに仕切られて充填されており、前記粒状物は各ブッロクに所定量混入されてなることを特徴とする請求項1記載のエアーコントロールふとん。
【請求項３】
室内空気を加熱して温風として供給することが可能な送風装置と、送風装置からの供給空気を通風可能に形成した掛けふとん及び敷きふとんとを備え、前記送風装置の吹出口手前側に、粒状セラミックの表面部に除菌又は抗菌剤を含む層を形成した粒状物を詰めて構成される除菌抗菌部を配置してなることを特徴とするエアーコントロールふとん。
【請求項４】
前記粒状物は、粒状セラミックの表面に、前記除菌又は抗菌剤を含む層として、銀を焼き付けた層を形成してなることを特徴とする請求項１〜３の何れか１項に記載のエアーコントロールふとん。
【請求項５】
前記粒状物は、円筒形状を成していることを特徴とする請求項４記載のエアーコントロールふとん。
【発明の詳細な説明】
【技術分野】
【０００１】
この発明は、掛けふとん及び敷きふとん内に温風を送り込んで快適な就寝環境を作り出すエアーコントロールふとんに関する。
【背景技術】
【０００２】
快適な眠りを求めるには、ふとんの中の温湿度を快適条件にコントロールすることが肝要である。ふとんの中の温湿度が適切でない場合は、次のような問題が生ずる。ふとんの中の温度が高い場合は、発汗量が増え、汗が体温を奪って体を冷やしてしまう。逆に、ふとんの中の温度が低い場合は、手足の温度が上がりにくく寝付きが悪くなる。また、ふとんの中の湿度が高い場合は、不快感を覚え寝返りの回数が増え熟睡できなくなるばかりでなく、雑菌繁殖の要因になったり、床ずれが生じ易くなったりする。逆に、ふとんの中の湿度が低い場合は、喉や肌が乾燥し病気を併発し易くなる。
【０００３】
このような問題に対し、従来、室内空気を加熱して温風として供給することが可能な送風装置と掛けふとんや敷きふとん又は敷きマット内とをホースで接続し、送風装置から掛けふとんや敷きふとん又は敷きマット内に温風（室内空気温度が高い場合は室内空気を加熱せずにそのまま）送り込んでふとん内部の温湿度を快適にしようとするエアーコントロールふとんが市販され、特許文献１及び特許文献２などにも提案されている。
【特許文献１】特開平８−２３７９２５号公報
【特許文献２】特許第３１８１１８２号公報
【発明の開示】
【発明が解決しようとする課題】
【０００４】
しかしながら、このような従来のエアーコントロールふとんにおいて快適環境を考える場合、除菌又は抗菌を積極的に行うことまでは考えられていなかった。また、ダニ退治についても考慮されていないという問題が残されていた。
【０００５】
本発明は、従来技術におけるこのような問題点を解決するためになされたものである。本発明の目的は、掛けふとんや敷きふとんの温湿度、除菌又は抗菌、及びダニ退治を行うエアーコントロールふとんを提供することにある。
【課題を解決するための手段】
【０００６】
本発明は、上記課題を解決するものであって、第１の発明は、室内空気を加熱して温風として供給することが可能な送風装置と、送風装置からの供給空気を通風可能に形成した掛けふとん及び敷きふとんとを備え、これらふとんの中綿に粒状セラミックの表面部に除菌又は抗菌剤を含む層を形成した粒状物を混入させてなることを特徴とする。
【０００７】
また、この場合において、掛けふとん及び敷きふとんは、中綿が複数のブロックに仕切られて充填されており、前記粒状物をこの各ブッロクに所定量混入するようにしてもよい。
【０００８】
また、本発明に係る第２の発明は、室内空気を加熱して温風として供給することが可能な送風装置と、送風装置からの供給空気を通風可能に形成した掛けふとん及び敷きふとんとを備え、前記送風装置の吹出口手前に、粒状セラミックの表面部に除菌又は抗菌剤を含む層を形成した粒状物を詰めて構成される除菌抗菌部を配置してなることを特徴とする。
【０００９】
なお、第１及び第２の発明に係るエアーコントロールふとんにおいて、前記粒状物は、粒状セラミックの表面部に、前記除菌又は抗菌剤を含む層として、銀を焼き付けた層を形成したものとするのが好ましい。
【００１０】
また、この粒状物は円筒形状とするのが好ましい。
【発明の効果】
【００１１】
本発明に係る第１の発明によれば、送風装置からふとん内に温風が供給されることにより、ふとん内の温湿度を快適状態に保持することができる。また、掛けふとん及び敷きふとんの中綿に粒状セラミックの表面部に除菌又は抗菌剤を含む層を形成した粒状物を混入させているので、ふとん内に吹き込まれる送風装置からの空気流により粒状物に触れた空気がふとん内に行き渡る。したがって、粒状物の回りは勿論のことふとん全体にわたり除菌又は抗菌作用が行われることになり、ふとん内全体を清潔に維持することができる。また、ダニは除菌又は抗菌性のものを嫌うため、粒状物の除菌又は抗菌作用によりダニをふとんから退治することができる。
【００１２】
また、この場合において、上記粒状物を中綿としての羽毛の中に混入させるに当たって、掛けふとん及び敷きふとんが通気性仕切布又は不通気性仕切布により複数のブロックに仕切られている場合は、粒状物がふとんのどこかに偏って溜まってしまうようなことがなく、全体的に除菌又は抗菌、及びダニ退治を行うことができる。
【００１３】
また、本発明に係る第２の発明によれば、第１の発明の場合と同様に、送風装置からふとん内に温風が供給されることにより、ふとん内の温湿度を快適状態に保持することができる。また、送風装置の吹出口の手前側に、粒状セラミックの表面部に除菌又は抗菌剤を含む層を形成した粒状物を詰めた除菌抗菌部を配置しているので、粒状物に触れた空気がふとん内に吹き込まれることになり、ふとん内全体を清潔に維持することができる。また、ダニは除菌又は抗菌性のものを嫌うため、粒状物の除菌又は抗菌作用によりダニをふとんから退治することができる。
【００１４】
また、上記第１及び第２の発明において、粒状物は粒状セラミックの表面部に、前記除菌又は抗菌剤を含む層として、銀を焼き付けた層を形成すると、除菌又は抗菌作用およびダニ退治を効率的に行うことができる。また、この場合、母材がセラミックであるため流状物を軽量化することができる。また、母材をセラミックとすることにより、粒状物の表面に銀の焼付け容易に行うことができる。
【００１５】
また、前記粒状物を円筒形状にすれば、ふとん内を流通する空気流と粒状物との接触面積を大きくすることができ、除菌又は抗菌、及びダニ退治を効率よく行うことができる。
【発明を実施するための最良の形態】
【００１６】
以下本発明を実施例に基づいて説明する。
【実施例１】
【００１７】
本発明の実施例１について図面１〜６に基づいて説明する。
図１は送風装置を掛けふとん及び敷きふとんに伸縮ホースにより接続した状態を示す側面図である。図２は同接続状態における平面図であって、伸縮ホースが収縮している状態を示す。
これら図に示すように、本実施例に係るエアーコントロールふとんは、送風装置１と、掛けふとん２及び敷きふとん３とが伸縮ホース４、５により接続されている。
【００１８】
送風装置１は、図２に示すように、敷きふとん３の枕元側から見る方向を正面とすると、左右方向の寸法が、奥行き寸法及び高さ寸法より大きい横長直方体のケーシング１１を備えたものである。ケーシング１１内の左方には、コンデンサーモータ１２で駆動されるシロッコ形送風機１３が収納されている。ケーシング１１の右側背面には室内空気吸込口１４が設けられている。この吸込口１４の内部にはエアーフィルタ１５が設置されている。ケーシング１１の正面中央部には上下に２ヶ所に吹出口１７、１８が設けられ、この吹出口１７、１８には伸縮ホース４、５がそれぞれ接続されている。また、送風機１３の吹出側と吹出口１７、１８との間には電熱式の加熱ヒータ１６が設置されている。
【００１９】
ケーシング１１の右前面側には、送風機１３の発停制御や、加熱ヒータ１６の加熱量の制御などを行うための制御装置２０が取り付けられている。制御装置２０は、温度センサ（図示せず）が検出する温度を入力し、温度センサの検出する温度が一定になるように加熱ヒータ１６の容量を制御している。なお、図示しない温度センサは吹出口付近に取り付けてもよいし、掛けふとん２又は敷きふとん３の内部にも受け得も良い。
【００２０】
掛けふとん２及び敷きふとん３は、通気性が良く軽い羽毛ふとんであって、足元側端部に前記伸縮ホース４、５を接続するためのホース接手２６、２７がそれぞれ設けられている。また、敷きふとん３は、手持ちのふとんやマット３１の上に載せられている。
【００２１】
図３及び図４は、掛けふとん２及び敷きふとん３の横断面図及び縦断面図であって、これら図面に示すように、掛けふとん２及び敷きふとん３の下面側表面部には、それぞれ通風路３２、３３を形成する通風布３４、３５が縫い付けられている。また、掛けふとん２及び敷きふとん３は、通風路３２、３３からの風の流れをコントロールするように通気性仕切布３６、３７及び不通気性仕切布３８、３９により適宜の大きさの複数のブロックに分割されている。
【００２２】
これにより、掛けふとん２では、図５の白抜き矢視のように、送風装置１からの供給空気が胸元に流れない空気流れが形成され、敷きふとん３では、図６の白抜き矢視のように、送風装置１からの供給空気が中央部で少なくなる空気流れが生ずるように形成される。また、送風装置１からの供給空気は、図３及び図４に示すように、このような流れを形成する通風路３２、３３から掛けふとん２及び敷きふとん３内に吐き出され、さらに掛けふとん２及び敷きふとん３内から室内に排出される。
【００２３】
また、掛けふとん２及び敷きふとん３では、図３及び図４に示すように、中綿としての羽毛の中に、表面に除菌又は抗菌剤を含む層を形成した粒状物４１が混入されている。
粒状物４１は、母体を円筒状セラミックとし、除菌又は抗菌剤を含む層として、このセラミックの表面に銀を焼き付けた層を作ったものである。円筒形状の大きさは、例えば、直径１〜２ｍｍ、長さが２〜３ｍｍ程度のものである。また、この粒状物４１は、掛けふとん２及び敷きふとん３における、通気性仕切布３６、３７及び不通気性仕切布３８、３９により仕切られた多数のブロック毎に適宜量が中綿としての羽毛の中に混入されている。
【００２４】
伸縮ホース４、５は同一構造のものである。また、伸縮ホース４、５は、コイル状の鋼線を骨組みとして蛇腹式に形成したものであって所定長さ範囲で伸縮可能に形成されている。
【００２５】
実施例１は以上のように構成されているので、次のような作用効果を奏することができる。
送風装置１から掛けふとん２及び敷きふとん３に供給される空気は、図示しない温度センサにより検出されて、所定温度、例えば３２℃となるように加熱ヒータ１６の加熱容量が制御される。なお、室内空気温度が３２℃より高い場合は、加熱ヒータ１６の加熱出力を０として室内空気がそのまま送風される。このように、掛けふとん２及び敷きふとん３内に供給する空気を温度コントロールして供給することにより、ふとん内の湿度を約４５〜５０％に制御することができる。したがって、掛けふとん２及び敷きふとん３の温度及び湿度に関しては理想的な就寝環境を維持することができる
【００２６】
また、掛けふとん２及び敷きふとん３の中綿に、粒状セラミックの表面部に除菌又は抗菌剤を含む層を形成した粒状物４１を混入させているので、掛けふとん２及び敷きふとん３内に吹き込まれる送風装置１からの供給空気が、粒状物４１に触れた後掛けふとん２及び敷きふとん３内に行き渡る。したがって、粒状物４１の回りは勿論のこと掛けふとん２及び敷きふとん３の全体にわたり除菌又は抗菌作用が行われることになり、掛けふとん２及び敷きふとん３内全体を清潔に維持することができる。また、掛けふとん２及び敷きふとん３内のダニは、除菌又は抗菌性のものを嫌うため、粒状物の除菌又は抗菌作用によりふとんから退治される。
【００２７】
また、上記粒状物４１を中綿としての羽毛の中に混入させるに当たって、掛けふとん２及び敷きふとん３が通気性仕切布３６、３７及び不通気性仕切布３８、３９により多数のブロックに仕切られており、各ブロックに適性量の流状物が混入されているので、粒状物４１がふとんのどこかに偏って溜まってしまうようなことがない。
【００２８】
また、前記粒状物４１は、粒状セラミックの表面に、前記除菌又は抗菌剤を含む層として、銀を焼き付けた層を形成しているので、除菌又は抗菌作用およびダニ退治を効率的に行うことができる。また、母材がセラミックであるので、粒状物４１の重量を軽くすることができる。また、母材をセラミックとすることにより、粒状物４１の表面に銀の焼付けを容易に行うことができる。
【００２９】
また、粒状物４１を円筒形状にしているので、掛けふとん２及び敷きふとん３内を流通する空気流と粒状物４１との接触面積を大きくすることができ、除菌又は抗菌、及びダニ退治を効率よく行うことができる。
【実施例２】
【００３０】
次に実施例２について図７を参照しながら説明する。
実施例２は、実施例１において、粒状物４１を掛けふとん２及び敷きふとん３の中綿に混入していたが、これに代わり、粒状物４１を送風装置１から掛けふとん２及び敷きふとん３への供給空気通路中に配設するようにしたものである。なお、その位置を吹出口１７、１８より後流側にすると掛けふとん２用と、敷きふとん３用との両方を必要とすることになる。そこで、この実施例２では、吹出口１７、１８の手前側、すなわち加熱ヒータ１６の出口側である吹出口１７、１８の付近に、粒状物４１を詰めた除菌抗菌部４５を配設し、加熱ヒータ１６で加熱された後の空気を除菌又は抗菌して掛けふとん２及び敷きふとん３へ温風を送り込めるようにしたものである。
【００３１】
この実施例２によれば、実施例１の場合と同様に、送風装置１から掛けふとん２及び敷きふとん３内に温風が供給されることにより、掛けふとん２及び敷きふとん３内の温湿度を快適状態に保持することができる。また、送風装置１の吹出口１７、１８の手前側に、粒状セラミックの表面部に除菌又は抗菌剤を含む層を形成した粒状物４１を詰めた除菌抗菌部４５を配置しているので、粒状物４１に触れた空気が掛けふとん２及び敷きふとん３内に吹き込まれることになり、掛けふとん２及び敷きふとん３内全体を清潔に維持することができる。また、ダニは、除菌又は抗菌性のものを嫌うため、除菌抗菌部４５の除菌又は抗菌作用により掛けふとん２及び敷きふとん３から退治される。
【００３２】
なお、上記実施例１及び２においては、除菌又は抗菌剤を含む層として、銀を焼き付けた層が例示されているが、これに代わりキトサン、かにの甲羅を粒子にしたものなどからなる除菌又は抗菌剤をセラミックの表面に塗布して形成するようにしてもよい。
【産業上の利用可能性】
【００３３】
本発明に係るエアーコントロールふとんは、通常の家庭におけるふとんとして使用できる他、特に介護を必要とする老人用寝床などに好適であり、床ずれを防止することができる。
【図面の簡単な説明】
【００３４】
【図１】本発明の実施例１に係るエアーコントロールふとんの側面図であり、送風装置を掛けふとん及び敷きふとんに対し伸縮ホースにより接続した状態を示す。
【図２】同接続状態におけるエアーコントロールふとんの平面図である。
【図３】同エアーコントロールふとんの横断面図である。
【図４】同エアーコントロールふとんの縦断面図である。
【図５】同エアーコントロールふとんの掛けふとんにおける空気流れ状態図である。
【図６】同エアーコントロールふとんの敷きふとんにおける空気流れ状態図である。
【図７】本発明の実施例２に係るエアーコントロールふとんの側面図であり、送風装置を掛けふとん及び敷きふとんに対し伸縮ホースにより接続した状態を示す。
【符号の説明】
【００３５】
１  送風装置
２  掛けふとん
３  敷きふとん
４、５  伸縮ホース
１７、１８  吹出口
３６、３７  通気性仕切布
３８、３９  不通気性仕切布
４１  粒状物
４５  除菌抗菌部
【図１】
2005168620.tif 000003
【図２】
2005168620.tif 000004
【図３】
2005168620.tif 000005
【図４】
2005168620.tif 000006
【図５】
2005168620.tif 000007
【図６】
2005168620.tif 000008
【図７】
2005168620.tif 000009